(57)【要約】【課題】  乳歯，永久歯が混在している幼児が使用してブラッシング清掃を確実に行うことができるようにする。【解決手段】  ヘッド部２の植毛面３に毛束４が植毛され毛束４の先端側の配列が角形状とされている。毛束４の配列は、格子状とされ、先端側の角形状が一部の毛束４の配置を省略することで形成されて前後方向に複数列が配置されている。【選択図】        図１
0003140867.tif 000002
【実用新案登録請求の範囲】
【請求項１】
ヘッド部の植毛面に毛束が植毛され毛束の先端側の配列が角形状とされた歯ブラシにおいて、毛束の配列は格子状とされ先端側の角形状が一部の毛束の配置を省略することで形成されて前後方向に複数列が配置されていることを特徴とする歯ブラシ。
【請求項２】
請求項１の歯ブラシにおいて、毛束は抗菌剤が混入された合成樹脂繊維が集合されたものであることを特徴とする歯ブラシ。
【請求項３】
請求項２の歯ブラシにおいて、抗菌剤は毛束の先端側の角形状部分で金を主剤とし他の部分で銀を主剤としていることを特徴とする歯ブラシ。
【考案の詳細な説明】
【技術分野】
【０００１】
本考案は、歯，歯茎のブラッシング清掃に使用される歯ブラシに係る技術分野に属する。
【背景技術】
【０００２】
最近、ヘッド部の植毛面に植設される毛束の配列を改良して、歯，歯茎のブラッシング清掃を確実に行うことができるようにした歯ブラシが各種提供されている。
【０００３】
従来、歯ブラシとしては、例えば、特開２００７−１４３９０８号公報に記載のものが知られている。
【０００４】
この従来の歯ブラシは、手で掴む柄部の先端側に設けられた板形のヘッド部の植毛面に毛束が千鳥状に配列され、毛束の植毛密度を高めてブラッシング清掃で歯茎を傷付けることがないようにしている。また、毛束の先端側の配列が角形状とされ、植毛密度の高い毛束が歯間に侵入しやすいようにしている。
【考案の開示】
【考案が解決しようとする課題】
【０００５】
前述の従来の歯ブラシでは、乳歯，永久歯が混在している６才から１２才くらいまでの幼児が使用すると、毛束の先端側の配列が角形状となっているものの複雑な凹凸となっている歯間に毛束が侵入しにくいため、ブラッシング清掃を確実に行うことができないという問題点がある。
【０００６】
本考案は、このような問題点を考慮してなされたもので、乳歯，永久歯が混在している幼児が使用してブラッシング清掃を確実に行うことのできる歯ブラシを提供することを課題とする。
【課題を解決するための手段】
【０００７】
前述の課題を解決するため、本考案に係る歯ブラシは、実用新案登録請求の範囲の各請求項に記載の手段を採用する。
【０００８】
即ち、請求項１では、ヘッド部の植毛面に毛束が植毛され毛束の先端側の配列が角形状とされた歯ブラシにおいて、毛束の配列は格子状とされ先端側の角形状が一部の毛束の配置を省略することで形成されて前後方向に複数列が配置されていることを特徴とする。
【０００９】
この手段では、毛束の配列を格子状とすることで毛束の間に等間隔のスペースが設けられた毛束に傾倒容易性が確保され、角形状部分の毛束の一部の配置を省略してさらなる傾倒容易性が確保され、毛束の角形状を複数列として前後方向に直交する方向にも角形状となるようにすることで、複雑な凹凸となっている歯間に多方向から毛束が侵入しやすいようにする。
【００１０】
また、請求項２では、請求項１の歯ブラシにおいて、毛束は抗菌剤が混入された合成樹脂繊維が集合されたものであることを特徴とする。
【００１１】
この手段では、毛束に抗菌剤が混入されていることで、毛束と歯，歯茎とにおける雑菌の繁殖が抑制される。
【００１２】
また、請求項３では、請求項２の歯ブラシにおいて、抗菌剤は毛束の先端側の角形状部分で金を主剤とし他の部分で銀を主剤としていることを特徴とする。
【００１３】
この手段では、最も歯茎に接触することになる毛束の先端側の角形状部分に混入される抗菌剤として血行促進機能のある金を選択し、毛束の他の部分に混入される抗菌剤として金よりも安価な銀を選択する。
【考案の効果】
【００１４】
本考案に係る歯ブラシは、毛束の配列を格子状とすることで毛束の間に等間隔のスペースが設けられた毛束に傾倒容易性が確保され、角形状部分の毛束の一部の配置を省略してさらなる傾倒容易性が確保され、毛束の角形状を複数列として前後方向に直交する方向にも角形状となるようにすることで、複雑な凹凸となっている歯間に他方向から毛束が侵入しやすいようにしているため、乳歯，永久歯が混在している幼児が使用してブラッシング清掃を確実に行うことができる効果がある。
【００１５】
さらに、請求項２として、毛束に抗菌剤が混入されていることで、毛束と歯，歯茎とにおける雑菌の繁殖が抑制されるため、衛生的に使用することができるとともに口内の衛生を高めることができる効果がある。
【００１６】
さらに、請求項３として、最も歯茎に接触することになる毛束の先端側の角形状部分に混入される抗菌剤として血行促進機能のある金を選択し、毛束の他の部分に混入される抗菌剤として金よりも安価な銀を選択するため、抗菌機能に加えて歯茎の血行促進機能をも備えて安価に製造することができる効果がある。
【考案を実施するための最良の形態】
【００１７】
以下、本考案に係る歯ブラシを実施するための最良の形態を図面に基づいて説明する。
【００１８】
この形態では、手持ちタイプからなるものを示してある。
【００１９】
この形態は、図１に示すように、手で掴む柄部１の先端側に設けられた板形のヘッド部２の植毛面３に毛束４が植設されている。
【００２０】
毛束４は、合成樹脂繊維に金（Ａｕ），銀（Ａｇ）等の抗菌剤を混入したもので、ヘッド部２の植毛面３に格子状に配列されている。格子状の配列とは、例えば、前後方向のＸ線，Ｙ線，Ｚ線の３線と、前後方向と直交する方向のａ線，ｂ線，ｃ線，ｄ線，ｅ線，ｆ線，ｇ線，ｈ線，ｉ線の９線との交差点への配列である。
【００２１】
毛束４の配列の先端側には、前後（先後）方向に角形状が２列設けられている。即ち、Ｘ線，ａ線，ｃ線の交差点と、Ｙ線，ｂ線，ｄ線の交差点と、Ｚ線，ａ線，ｃ線の交差点とにおける毛束４の配置を省略することで角形状を形成して２列を連続させている。１つの角形状は、Ｘ線，ｂ線の交差点とＹ線，ａ線の交差点とＺ線，ｂ線の交差点とに配置された３個の毛束４で構成されている。他の１つの角形状は、Ｘ線，ｄ線の交差点とＹ線，ｃ線の交差点とＺ線，ｄ線の交差点とに配置された３個の毛束４で構成されている。
【００２２】
なお、前述の抗菌剤については、角形状を構成している６個の毛束４に混入されるものとして金（Ａｕ）を主剤とし、他の１５個の毛束４に混入されるものとして銀（Ａｇ）を主剤としている。
【００２３】
この形態によると、毛束４の配列が格子状であるため、毛束４の間に等間隔のスペースが設けられて毛束４に傾倒容易性が確保される。また、歯間へ最も頻繁に侵入する毛束４の配列の先端側が角度θをもった角形状になっているため、歯との接触抵抗が削減されて歯間への侵入が容易になる。従って、乳歯，永久歯が混在している６才から１２才くらいまでの幼児の複雑な凹凸となっている歯間に毛束４を傾倒変形させて容易に侵入させることができ、ブラッシング清掃を確実に行うことができる。
【００２４】
特に、図２に示すように、毛束４の角形状の先端側からの歯間への侵入の際に、１列目の角形状を構成するＸ線，ｂ線の交差点とＹ線，ａ線の交差点とＺ線，ｂ線の交差点とに配置された３個の毛束４の後端側が広く開放されている。即ち、Ｘ線，ｃ線の交差点とＹ線，ｂ線の交差点とＺ線，ｃ線の交差点とに毛束４が配置されず、１列目の角形状を構成するＸ線，ｂ線の交差点とＹ線，ａ線の交差点とＺ線，ｂ線の交差点とに配置された３個の毛束４と、２列目の角形状を構成するＸ線，ｄ線の交差点とＹ線，ｃ線の交差点とＺ線，ｄ線の交差点とに配置された毛束４との間に広いスペースＳａが確保されている。従って、１列目の角形状を構成する毛束４にさらなる傾倒容易性が確保され、歯間に毛束４をさらに傾倒変形させてより容易に侵入させることができることになる。なお、２列目の角形状は、１列目の角形状が接触しなかった歯，歯茎に接触する補完機能を奏する。
【００２５】
また、図３に示すように、毛束４の前後方向に直交する方向からの歯間への侵入の際に、Ｘ線，ｂ線の交差点とＹ線，ａ線の交差点とＹ線，ｃ線の交差点とに配置された３個の毛束４が角形状を構成して、前述と同様の歯間への侵入の機能が奏される。この場合にも、Ｙ線，ｂ線の交差点に毛束４が配置されず、Ｙ線，ａ線の交差点に配置された毛束４とＺ線，ｂ線の交差点に配置された毛束４との間に広いスペースＳａが確保される。なお、Ｙ線，ａ線の交差点とＹ線，ｃ線の交差点とに配置された毛束４の後側は、完全に解放されていることになる。
【００２６】
また、図４に示すように、毛束４の前後方向に直交する方向（図３とは逆方向）からの歯間への侵入の際に、Ｙ線，ａ線の交差点とＹ線，ｃ線の交差点とＺ線，ｂ線との交差点とに配置された３個の毛束４が角形状を構成して、前述と同様の歯間への侵入の機能が奏される。この場合にも、Ｙ線，ｂ線の交差点に毛束４が配置されず、Ｙ線，ａ線の交差点に配置された毛束４とＺ線，ｂ線の交差点に配置された毛束４との間に広いスペースＳａが確保される。なお、Ｙ線，ａ線の交差点とＹ線，ｃ線の交差点とに配置された毛束４の後側は、完全に解放されていることになる。
【００２７】
なお、図３，図４に示す毛束４の歯間への侵入の際に、Ｙ線，ｄ線の交差点に毛束４が配置されず、Ｘ線，ｄ線の交差点に配置された毛束４とＺ線，ｄ線の交差点に配置された毛束４との間に広いスペースＳｂが確保される。このスペースＳｂは、Ｘ線，ｄ線の交差点に配置された毛束４とＺ線，ｄ線の交差点に配置された毛束４とにさらなる傾倒容易性を確保させることになる。従って、毛束４の図３，図４に示す方向からの歯間への侵入の際に、完全に格子状に配列された毛束４から三角形状を構成する毛束４を独立化させて歯間への侵入の容易性が損なわれないようにする。
【００２８】
さらに、この形態では、毛束４に抗菌剤が混入されているため、毛束４と歯，歯茎とにおける雑菌の繁殖が抑制される。従って、衛生的に使用することができるとともに、口内の衛生を高めることができる。
【００２９】
また、最も歯茎に接触することになる毛束４の先端側の角形状部分に混入される抗菌剤として血行促進機能のある金（Ａｕ）を選択している。そして、毛束４の他の部分に混入される抗菌剤として金（Ａｕ）よりも安価な銀（Ａｇ）を選択している。従って、抗菌機能に加えて歯茎の血行促進機能をも備えて安価に製造することができる。
【００３０】
以上、図示した形態の外に、柄部１がなくチューブ形のヘッド部２を指先に挿入装着するタイプにも適用することが可能である。
【００３１】
さらに、毛束４の配列の角形状を３列以上設けることも可能である。
【００３２】
さらに、毛束４をさらに多数例に配列することも可能である。
【００３３】
さらに、毛束４の植設高さをテーパ形，波形としたり、毛束４の毛先端を特殊形状としたりすることも可能である。
【図面の簡単な説明】
【００３４】
【図１】本考案に係る歯ブラシを実施するための最良の形態の正面図（部分拡大図を含む）である。
【図２】図１の作用を示す要部の拡大図である。
【図３】図１の他の作用を示す要部の拡大図である。
【図４】図１のさらに他の作用を示す要部の拡大図である。
【符号の説明】
【００３５】
２            ヘッド部
３            植毛面
４            毛束
【図１】
0003140867.tif 000003
【図２】
0003140867.tif 000004
【図３】
0003140867.tif 000005
【図４】
0003140867.tif 000006